【事件の表示】
　特願２００２−５８０２４６「画像解像度と画像データ伝送とのためのピクセレーション再構築」拒絶査定不服審判事件〔平成１４年１０月１７日国際公開、ＷＯ０２／８２３５７、平成１６年１１月１１日国内公表、特表２００４−５３４２９５〕について、次のとおり審決する。
【結　論】
　本件審判の請求は、成り立たない。
【理　由】
１．手続の経緯
　本願は、平成１４年４月９日（優先権主張　２００１年４月９日　アメリカ合衆国）の国際出願であって、平成２０年１１月１７日付けで拒絶査定がなされ、これに対し、平成２１年２月２３日に審判請求がなされるとともに、同日付けで手続補正がなされ、その後の当審による平成２２年１１月２６日付けの拒絶理由の通知に対し、平成２３年５月３１日付けで手続補正がなされたものである。
　
２．本願発明
　本願の請求項に係る発明は、平成２３年５月３１日付け手続補正書の特許請求の範囲の請求項１ないし７に記載された事項により特定されるものであるところ、その請求項１に係る発明（以下、「本願発明」という）は、以下のとおりのものである。
　
「ある対象物の核磁気共鳴画像とディジタルスキャナによって生成された画像と病理学的画像と組織学的画像と放射線医学的画像とからなるグループから選択される二次元または三次元画像を伝送するための方法であって、前記画像は、第１のピクセルサイズまたはヴォクセルサイズを有し、前記方法は、
　前記画像を前記対象物から取られた複数の画像に分解するステップであって、前記複数の画像のうちの各画像は、ある増分で前記複数の画像のうちの他の画像にオーバーレイすることができる、前記複数の画像に分解するステップと、
　前記複数の画像のうちの少なくとも二つの画像を一度に一つずつ伝送するステップと、
　前記複数の画像のうちの伝送された画像をオーバーレイするステップと、
　前記オーバーレイされた伝送画像にわたる多重の対応するオーバーレイ単位に含まれる特徴情報に関する値を取得するステップと、
　オーバーレイされた伝送画像から取得された前記値の平均和を計算するステップであって、前記平均和が、中間のピクセルまたはヴォクセルの組み合わせた特徴情報値を表す、前記計算するステップと、
　中間画像を生成するために、オーバーレイされた多重において、各中間のピクセルまたはヴォクセルの組み合わせた特徴情報を統合するステップと、
　フーリエ領域において、前記多重のオーバーレイからのアーチファクトを表すことができるフィルタリング関数によって前記中間画像を除算し、それによって第２のピクセルまたはヴォクセルサイズを有する結果として得られる前記二次元または三次元画像を生成するステップと、からなることを特徴とする方法。」
  
３．刊行物の記載事項
　これに対して、当審による拒絶理由の通知で引用された本願の優先権主張の日前に頒布された刊行物である特開平７−３７０７５号公報（以下、「刊行物１」という）には、図面とともに次の（１）〜（８）の事項が記載されている。
　
（１）「【０００１】
【産業上の利用分野】本発明は、全般的にはＸ線等のような放射線の作像に関し、更に具体的に言えば、作像システムのナイキスト周波数よりも高い空間周波数成分を有する対象を作像するように構成されているディジタル形作像システムに関する。
【０００２】
【従来の技術】Ｘ線のような光以外の放射線、及びガンマ線のような高エネルギ核物質放射線を作像するために、固体放射線作像システムが用いられている。典型的には、入射放射線は、入射放射線がシンチレータに吸収されて、光子を発生するという過程を通じて、これらの作像システムで検出される。シンチレータに隣接して配列として設けられている光ダイオード等の光センサが、光子を検出する。光を検出する光センサの配列内での位置、及び光センサによって発生された信号の強度を処理して、入射放射線を表示すると共に解析する。この代わりに、入射放射線が直接的に感光要素で吸収され、その感光要素が入射放射線のエネルギを移動性帯電粒子に変換するようにしてもよい。
【０００３】固体放射線作像システムの典型的な１つの用途は医療用の作像であり、この場合、患者の身体を通過した、又は患者の身体から出て来る放射線を用いて、身体内にある対象又は資料を可視化する。」
　
（２）「【００１１】
【実施例】図１には、入射放射線を検出する放射線作像システム１００が示されており、放射線作像システム１００は、画像検出器アセンブリ１０５と、画像プロセッサ１７０と、表示及び解析モジュール１９０とを備えている。画像検出器アセンブリ１０５は、光センサ画素配列１２０を含んでおり、一実施例では、光センサ画素配列１２０はシンチレータ１１０に光学的に結合されている。シンチレータ１１０はＸ線等のような入射する放射線１５を受け取るように配設されている。入射放射線１５に応答してシンチレータ１１０内で発生された光子は、光センサ画素配列１２０へ通過し、光センサ画素配列１２０で光が検出され、配列内の光センサによって対応する画像データ信号が発生される。画像プロセッサ１７０は、データ記憶装置１７５と、ぼけ除去フィルタ１８０とを含んでおり、作像される対象をオーバサンプリング（過剰標本化）する間に、即ち、作像サイクルの過程でそれぞれの逐次的な結像位置で放射線に対する露出から画像データ信号を発生する間に発生されたそれぞれの画像データ信号を受け取って、データ記憶装置１７５に記憶するように光センサ配列１２０に電気的に接続されている。放射線作像システム１００の作像サイクルの間に記憶されたフィルタ未処理画像データ・セットがぼけ除去フィルタ１８０に印加されて、所望の高くなった空間分解能を有しており、エイリアシングのない細かい分解能を有しているデータ・セットを発生し、その後、表示及び解析モジュール１９０に結合される。
【００１２】光センサ配列１２０は、光ダイオード等（図２を参照）の複数の光センサ画素１２２を含んでいる。光センサは、典型的にはＮ×Ｍの行列として行及び列に分けて配設されており、各々の光センサは、アドレス線及び走査線（図に示していない）に接続されており、入射する光に応答して各々の光センサで発生された電荷を読み取ることができるようにしている。」
（３）「【００１３】典型的には、シンチレータ１１０は光センサ画素配列１２０に隣接して配設されており、シンチレータ１１０内で発生された光子が、入射放射線が吸収された点に極く接近した所で、光センサ画素配列１２０内に大部分通過するようになっている。」
（４）「【００１５】本発明では、光センサ配列１２０は変位プラットフォーム１４０の上に配設されており、選択された軸線に沿ったプラットフォーム１４０の動きが光センサ配列１２０の対応する動きに変換されるようになっている。これに限らないが、例として言うと、図２では、変位プラットフォーム１４０が作像システムの基礎部１４５の上に可動に配設されていることが示されており、光センサ配列１２０、基板１２６、放射線遮蔽体１２９及び読み出し回路板１３０の組み合わせ全体が、支持栓１４１を介して変位プラットフォーム１４０に取り付けられており、変位プラットフォームが動くと、光センサ配列１２０に方向及び距離が同等の変位が生ずるようになっている。」
（５）「【００１６】更に本発明によれば、画像検出器アセンブリ１０５は、作像システムの基礎部１４５に対するそれぞれの結像位置へ変位プラットフォーム１４０を選択的に移動させるように変位プラットフォーム１４０に連結されている駆動機構１５０を含んでいる。」
（６）「【００１８】こうして、駆動機構１５０は、作像システムの基礎部１４５に対してｘ軸又はｙ軸のいずれかに沿って所定の距離だけ、光センサ配列１２０を変位させるように構成されている。図２に示す本発明の実施例では、駆動カム１５２及び１５４のそれぞれ最大及び最小の変位の組み合わせにより、４つの別々の結像位置が得られ、その位置に光センサ配列１２０を変位させることができる。
【００１９】画像検出器アセンブリ１０５は、画像プロセッサ１７０に電気的に接続されている。画像プロセッサ１７０は、データ記憶装置１７５と、ぼけ除去フィルタ１８０とを含んでいる。」
（７）「【００２１】本発明によれば、放射線作像システム１００は、オーバサンプリングに基づいて、即ち、所定の作像サイクルに従って所定数の空間的に別々の結像位置に光センサ配列１２０を位置決めすることによって収集された対象の多数の画像に基づいて、表示及び解析モジュール１９０を駆動する出力を発生するように構成されている。１つの作像サイクルからのデータを収集した後に、フィルタ未処理データ・セットをぼけ除去フィルタ１８０に印加して、表示及び解析のための分解能の高い画像を発生する。次の作像サイクルでは、光センサ配列は再び所定の作像位置に位置決めされるが、このとき、次のフィルタ未処理データのセットが得られ、このデータ・セットがぼけ除去フィルタに印加されて、次の分解能の高い画像を発生する。」
（８）「【００２３】図３（Ａ）〜図３（Ｄ）は４つの結像位置を有している作像サイクルを示す。図３（Ａ）では、４つの代表的な光センサ画素３１０（個別に画素３１０ａ〜３１０ｄとして示してある）が、実線の輪郭で囲まれて示されている。これらの代表的な光センサ画素は、光センサ画素配列１２０の一部を構成しており、典型的には、図示の画素の各々の側に隣接して、この他の光センサ画素（図に示していない）が配設されている。各々の光センサ画素３１０は、１００μｍの辺を有している画素に対応している（このような各々の画素の活性（アクティブ）区域又は光を吸収する区域は典型的には、画素の寸法全体の約８０％と約９０％との間であるが、例示の便宜のため、所定の画素の物理的な境界のみが示されている。）。図３（Ａ）〜図３（Ｄ）では、その下方にある作像される対象の格子（グリッド）３２０を破線で示してあり、格子の各々のボックスは５０μｍ×５０μｍの寸法を有しており、細かい分解能を有する配列における各々の画素の空間的な範囲を表している。この格子は、シンチレータの区域を任意に小分けしたものであって、作像しようとする対象の５０μｍという所望の分解可能な寸法を表すために用いたに過ぎない。本発明を説明する便宜のため、参照番号３２０1 〜３２０4 でそれぞれ示された１つの格子（グリッド）ボックスを説明する。１つの格子ボックス３２０1 に陰影線が施されており、格子ボックス３２０1 は、その画像を発生しようとする、所望の分解可能な寸法を有する特定の対象を表している。
【００２４】図３（Ａ）は、所与の作像サイクルにおける光センサ配列１２０の第１の結像位置を表しているが、格子ボックス３２０1 は、光センサ画素３１０ａによって覆われている区域内に完全に収まっている。このため、光センサ画素３１０ａは、格子ボックス３２０1 の区域から出て来る本質的に全部の光子を積分し、格子ボックス３２０1 の辺に隣接している格子ボックスの部分からの光子をも受け取る。光センサ画素３１０ａがシンチレータ１１０から出て来る光子に露出されたことによって発生された電荷（又は光センサの出力を測定するために用いられるこの他の電気信号）が、画素によって発生される画像データ信号を構成している。配列内の各々の光センサ画素３１０は同様にして、第１の結像位置における露出期間中に検出された光子の数に対応するそれぞれの画像データ信号を発生する。各々の光センサ画素によって発生された画像データ信号は、画像プロセッサ１７０に結合され、画像プロセッサ１７０で各々の信号はデータ記憶装置１７５にそれぞれ記憶される。
【００２５】図３（Ｂ）は、光センサ画素配列の第２の結像位置への微小変位の後の対象の格子３２０及び画素配列３１０の同じ部分を示す。この図に示すように、第２の結像位置はｘ軸に沿って左側に５０μｍの所にある。第２の結像位置では、格子ボックス３２０1 の面積の半分が、光センサ画素３１０ａの一部によって覆われており、この面積の半分が光センサ画素３１０ｂによって覆われている。典型的には、格子ボックス３２０1 の区域から出て来るすべての光子の約半分が、光センサ画素３１０ａで検出され、半分が光センサ画素３１０ｂで検出されると仮定するのが正確である。この第２の結像位置では、各々の光センサ画素が発生する画像データ信号は、読み出し回路によって読み取られて、画像プロセッサ１７０に結合され、第１の結像位置で発生された画像データ信号とインタリーブにして記憶される。更に、第２の結像位置では、光センサ配列３２０は、格子ボックス３２０2 が光センサ画素３１０ｂの境界内の中心にある。
【００２６】本明細書で用いる「インタリーブ」とは、それぞれの光センサ画素によって覆われている作像される対象の格子３２０の部分に対応するような形で、それぞれの光センサ画素からの画像データ信号を記憶することを指す。例えば、各々の光センサ画素は、各々の相異なる結像位置で、作像される対象の格子の相異なる部分の上に配設されると共にその部分を作像する。必然的に、光センサ画素配列が逐次的な結像位置へ移動するとき、作像される対象の格子の部分は多数の光センサ画素によって作像される。本発明によれば、それぞれの光センサ画素からの画像データ信号は、フィルタ未処理データ・セットが、作像される対象の格子上で作像される区域の相対位置に対応する形で配設されている画像データ信号を含むようにインタリーブされる。このようにして、フィルタ未処理データ・セットのデータは、作像された対象の配列に対応する分解能の高い配列を駆動することができるようなデータになる。この分解能の高い配列は、光センサ画素配列よりも、一意的なデータ信号によって駆動することのできる一層多数の画素を有している。図３（Ｃ）は、第３の結像位置にある光センサ画素３１０及び作像される対象の格子３２０の相対位置を示す。第３の結像位置では、光センサ画素配列は、第２の結像位置から、ｙ軸に沿って下向きに５０μｍだけ変位している。この第３の結像位置では、格子ボックス３２０1 は、光センサ画素３１０ａ〜３１０ｄの部分によって覆われており、格子ボックス３２０1 のそれぞれ１／４の部分が相異なる画素によって覆われており、これらの画素を相異なる陰影線で示してある。更に、この第３の結像位置では、光センサ画素３１０ａはこのとき、格子ボックス３２０3 を完全に覆っており、格子ボックス３２０3 は、光センサ画素３１０ａの境界内の中心に位置している。この位置で放射線に露出された後、それぞれの画素で発生された電荷を再び読み取り、それぞれの光センサ画素からの画像データ信号を、第１及び第２の結像位置における露出から収集されたデータとインタリーブにして、画像プロセッサ１７０に記憶する。
【００２７】第４の結像位置における下側にある作像される対象の格子及び画素配列の相対位置が、図３（Ｄ）に示されている。第４の結像位置は、光センサ配列が第３の結像位置からｘ軸に沿って右側に５０μｍ変位したことを反映している。この第４の結像位置では、格子ボックス３２０1 は、光センサ画素３１０ｄ及び３１０ａの部分によって覆われている。第４の結像位置にある光センサ画素３１０ａは、４番目の格子ボックス３２０4 の上に中心合わせされるように変位している。従って、各々の結像位置において、１つの光センサ画素は、１つの格子ボックスのみを完全に覆っており、各々の格子ボックスは、少なくとも１つの結像位置では１つの光センサ画素によって完全に覆われている。これまでの結像位置の場合と同じく、作像しようとする対象が放射線に露出され、シンチレータからの光子を収集するためのサンプリング時間が経過した後に、それぞれの画素を読み取り、各々の画素からの画像データ信号を画像プロセッサに記憶する。
【００２８】第４の結像位置からの画像データ信号が収集された後に、１つの作像サイクルに対するデータ収集が完了し、光センサ配列は第１の結像位置に戻され、この後の作像サイクルに備える。上に述べたような光センサ配列の変位により、所望の空間分解能を有しており、エイリアシングのない細かい分解能のデータ・セットを発生するように、ぼけ除去フィルタ１８０に印加されるべき画像データ信号の所望のオーバサンプリングが行われる。その分解能の高い画像を得ようとする各々の格子ボックス、例えば、格子ボックス３２０1 の同じオーバサンプリングが、少なくとも同等の数の光センサ画素によって行われる限り、光センサ配列が異なる１組の結像位置に変位するような他の変位パターンを用いることができる。
【００２９】特に、画像データ信号を収集する少なくとも１つの結像位置において、作像される格子ボックスは、１つの光センサ画素の境界内に完全に入っていなければならない。このため、光センサ画素配列に対して理想的な点拡大関数に近いものを想定すると、各々の露出（即ち、各々の結像位置）における１つの光センサ画素からの信号は、その光センサ画素が重なっている格子ボックス又は相異なる格子ボックスの部分から出る光子の和を表す。従って、例えば図３（Ａ）で、光センサ画素３１０ａからの画像データ信号は、格子ボックス３２０1 の全部から、及び格子ボックス３２０1 に接する他の各々の格子ボックスから出る光子に対応している。光センサ画素３１０ａによって覆われている作像されるべき対象の格子３２０のそれぞれの区域の比較により、光センサ画素３１０ａから画像データ信号を発生する光子の１／４は、中心の画素（今の場合は格子ボックス３２０1 ）から、１／８は中心の画素の上側、下側及び両側にある各々の格子ボックスから、そして１／１６は格子ボックスの各々の隅（コーナ）から来ることになる。これらの分数を規格化すると、和が１になる。
【００３０】データ記憶装置１７５は、各々の作像サイクル内の各々の結像位置におけるそれぞれの光センサ画素からの画像データ信号が、それぞれのフィルタ未処理のインタリーブ形データ・セットとして記憶されるように構成されている。本発明によれば、各々のフィルタ未処理のインタリーブ形のデータ・セットは、ぼけ除去フィルタ１８０に印加される。ぼけ除去フィルタ１８０は、インタリーブ形データ・セットに選択的にフィルタ作用をかけて、所望の空間分解能を有していると共に細かい分解能を有しているデータ・セットを発生するように構成されている。例えば、前に述べた本発明の実施例では、細かい分解能を有するデータ・セットは、約５０μｍの限界分解能を有している。このため、表示及び解析モジュールは、（光センサ画素配列１２０の空間分解能の２倍である）２Ｎ×２Ｍ形式でデータを呈示することができるものでなければならない。データ記憶装置１７５は典型的には、コンピュータ用ＲＡＭ又はハード駆動装置等で構成されており、ぼけ除去フィルタ１８０は典型的には、ウィーナ・フィルタ機能を実施するように構成されている妥当の速さを有するコンピュータで構成されている。」
　
　以上の記載から、刊行物１には以下の発明（以下、「刊行物１発明」という）が記載されている。
　
　患者の身体を通過した放射線を用いて身体内にある対象を可視化する放射線作像システムであって、
　前記放射線がシンチレータに吸収されて光子を発生し、該シンチレータに隣接して配列として設けられているＮ×Ｍの光センサ画素配列が前記光子を検出して対応する画像データ信号が発生される画像検出器アセンブリと、
　データ記憶装置とぼけ除去フィルタとを含み、作像サイクルの過程でそれぞれの逐次的な結像位置で放射線に対する露出から画像データ信号を発生する間に発生されたそれぞれの画像データ信号を受け取って、データ記憶装置に記憶するように光センサ画素配列に電気的に接続され、作像サイクルの間に前記データ記憶装置に記憶されたフィルタ未処理画像データ・セットが前記ぼけ除去フィルタに印加される画像プロセッサとを備え、
　前記画像検出器アセンブリの前記光センサ画素配列は、駆動機構により４つの別々の結像位置に変位させることができ、
　第１の結像位置で発生された画像データ信号が前記データ記憶装置に記憶され、
　前記光センサ画素配列が第２の結像位置へ微小変位の後、発生された画像データ信号が第１の結像位置で発生された画像データ信号とインターリーブして前記データ記憶装置に記憶され、
　第３の結像位置で放射線に露出された後、それぞれの画素で発生された電荷を再び読み取り、それぞれの光センサ画素からの画像データ信号を、第１及び第２の結像位置における露出から収集されたデータとインタリーブにして、画像プロセッサに記憶し、
　第４の結像位置では、これまでの結像位置の場合と同じく、作像しようとする対象が放射線に露出され、シンチレータからの光子を収集するためのサンプリング時間が経過した後に、それぞれの画素を読み取り、各々の画素からの画像データ信号を画像プロセッサに記憶し、
　第４の結像位置からの画像データ信号が収集された後に、１つの作像サイクルに対するデータ収集が完了し、
　前記データ記憶装置は、各々の作像サイクル内の各々の結像位置におけるそれぞれの光センサ画素からの画像データ信号が、それぞれのフィルタ未処理のインタリーブ形データ・セットとして記憶されるように構成されており、
　各々のフィルタ未処理のインタリーブ形のデータ・セットは、ぼけ除去フィルタに印加され、
　前記ぼけ除去フィルタは、前記インタリーブ形データ・セットに選択的にフィルタ作用をかけて、所望の空間分解能を有していると共に細かい分解能を有しているデータ・セットを発生するように構成されている、
　放射線作像システム。
　
　また、当審による拒絶理由の通知で引用された本願の優先権主張の日前に頒布された刊行物である「Sharon Peledほか，Superresolution in MRI: Application to Human White Matter Fiber Tract Visualisation by Diffusion Tensor Imaging，Magnetic Resonance in Medicine，米国，Wiley-Liss, Inc.，2001年1月2日，Volume 45, Issue 1，p29-35」（以下、「刊行物２」という）には、図面（FIG.1）とともに次の（９）の事項が記載されている。
　
（９）「Superresolution Image Enhancement
The method of Irani and Peleg (20) was adapted to our needs. Following is a brief summary:
1. f is the desired high-resolutin image we wish to find.{gk}kk=1 are the K acquired low-resolution images. The imaging prosess is modelled by:
.　　　　　　　　　　　　gk=(Tkf)↓s+ηk                     [1]
where Tk is the translation operator that shifts the image,↓s is the downsampling operator, and ηk is noise.
2. An initial guess is generated. In our case, we choose the mean of all the shifted low-resolution images: 
.　　　　　　　　　　　　f(0)=1/K Σ T-1k(gk↑s)           　  [2]
. 　　　　　　　　　　　　　　　　k　
where ↑s is an upsampling operator.」（第３０頁右下から１０行目−第３１頁左上４行目）
（訳）
（超解像度画像拡張
イラニとペレグの方法は我々の要求に適合したものである。以下は簡単な要約である。
１．ｆは所望の高解像度画像である。{gk}kk=1 は得られたＫ個の低解像度画像である。画像処理プロセスは次のようにモデル化される。
.　　　　　　　　　　　　gk=(Tkf)↓s+ηk                     [1]
ここで、Tk  は画像をシフトする変換演算子、↓s はダウンサンプリング演算子、ηk はノイズである。
２．最初の推測結果が生成される。このケースでは、全てのシフトされた低解像度画像の平均が選択される。
.　　　　　　　　　　　　f(0)=1/K Σ T-1k(gk↑s)           　  [2]
. 　　　　　　　　　　　　　　　　k　
ここで、↑s はアップサンプリング演算子である。）
　
４．対比
　本願発明と刊行物１発明とを対比する。
　
　刊行物１発明は、患者の身体を通過した放射線を用いて身体内にある対象を可視化する放射線作像システムであって、画像検出器アセンブリと画像プロセッサとを備え、画像検出器アセンブリのＮ×Ｍの光センサ画素配列が光子を検出して対応する画像データ信号が発生され、発生された画像データ信号が画像プロセッサに送られてそのデータ記憶装置に記憶されるものといえるから、「ある対象物の放射線医学的画像からなる二次元画像を伝送するための方法」として捉えることができる。また、発生された画像データ信号が「第１のピクセルサイズ」を有するといえるのは明らかである。
　
　刊行物１発明は、「前記画像検出器アセンブリの前記光センサ画素配列は、駆動機構により４つの別々の結像位置に変位させることができ、第１の結像位置で発生された画像データ信号が前記データ記憶装置に記憶され、前記光センサ画素配列が第２の結像位置へ微小変位の後、発生された画像データ信号が第１の結像位置で発生された画像データ信号とインターリーブして前記データ記憶装置に記憶され、第３の結像位置で放射線に露出された後、それぞれの画素で発生された電荷を再び読み取り、それぞれの光センサ画素からの画像データ信号を、第１及び第２の結像位置における露出から収集されたデータとインタリーブにして、画像プロセッサに記憶し、第４の結像位置では、これまでの結像位置の場合と同じく、作像しようとする対象が放射線に露出され、シンチレータからの光子を収集するためのサンプリング時間が経過した後に、それぞれの画素を読み取り、各々の画素からの画像データ信号を画像プロセッサに記憶し、第４の結像位置からの画像データ信号が収集された後に、１つの作像サイクルに対するデータ収集が完了」するものであるから、「４つの結像位置からの画像データ信号」は、本願発明の「対象物から取られた複数の画像」に相当し、この「４つの結像位置からの画像データ信号」のそれぞれ各画像は、互いに微少変位を有する４つの結像位置で発生されたものであって、インターリーブしてデータ記憶装置に記憶されるものであるから、「ある増分で前記複数の画像のうちの他の画像にオーバーレイすることができる」ものであるといえる。
　したがって、本願発明と刊行物１発明は、「前記画像を前記対象物から取られた複数の画像に分解するステップであって、前記複数の画像のうちの各画像は、ある増分で前記複数の画像のうちの他の画像にオーバーレイすることができる、前記複数の画像に分解するステップ」を有する点で一致する。
　また、刊行物１発明の「４つの結像位置からの画像データ信号」のそれぞれ各画像は、１つ１つの結合位置で読み取り、発生されるごとにデータ記憶装置に送られて記憶されるものであるから、刊行物１発明は、本願発明の「前記複数の画像のうちの少なくとも二つの画像を一度に一つずつ伝送するステップ」に相当するステップを有しているといえる。
　さらに、刊行物１発明の「４つの結像位置からの画像データ信号」のそれぞれ各画像は、インターリーブしてデータ記憶装置に記憶されるものであるから、本願発明の「前記複数の画像のうちの伝送された画像をオーバーレイするステップ」を有しているといえる。
　
　刊行物１発明では、前記データ記憶装置は、各々の作像サイクル内の各々の結像位置におけるそれぞれの光センサ画素からの画像データ信号が、それぞれのフィルタ未処理のインタリーブ形データ・セットとして記憶されるように構成されており、各々のフィルタ未処理のインタリーブ形のデータ・セットは、ぼけ除去フィルタに印加され、前記ぼけ除去フィルタは、前記インタリーブ形データ・セットに選択的にフィルタ作用をかけて、所望の空間分解能を有していると共に細かい分解能を有しているデータ・セットを発生するように構成されているのであるから、この「細かい分解能を有しているデータ・セット」を発生することは、「第２のピクセルサイズを有する結果として得られる二次元画像を生成するステップ」といえ、その生成は、記憶されたインタリーブ形データ・セットが用いられて細かい分解能を有しているデータのピクセル１つ１つをフィルタ演算により生成するのであるから、刊行物１発明は、本願発明とは、「前記オーバーレイされた伝送画像にわたる多重の対応するオーバーレイ単位に含まれる特徴情報に関する値を取得するステップと、オーバーレイされた伝送画像から取得された前記値により計算するステップであって、該計算の結果が、中間のピクセルの組み合わせた特徴情報値を表す、前記計算するステップと、オーバーレイされた多重において、各中間のピクセルの組み合わせた特徴情報を統合するステップと、それによって第２のピクセルを有する結果として得られる前記二次元画像を生成するステップ」とを有しているといえる点で共通するものである。
　
　以上をまとめると、本願発明と刊行物１発明の一致点及び相違点は次のとおりである。
　
［一致点］
　ある対象物の射線医学的画像からなる二次元画像を伝送するための方法であって、前記画像は、第１のピクセルサイズを有し、前記方法は、
　前記画像を前記対象物から取られた複数の画像に分解するステップであって、前記複数の画像のうちの各画像は、ある増分で前記複数の画像のうちの他の画像にオーバーレイすることができる、前記複数の画像に分解するステップと、
　前記複数の画像のうちの少なくとも二つの画像を一度に一つずつ伝送するステップと、
　前記複数の画像のうちの伝送された画像をオーバーレイするステップと、
　前記オーバーレイされた伝送画像にわたる多重の対応するオーバーレイ単位に含まれる特徴情報に関する値を取得するステップと、
　オーバーレイされた伝送画像から取得された前記値により計算するステップであって、該計算の結果が、中間のピクセルの組み合わせた特徴情報値を表す、前記計算するステップと、
　オーバーレイされた多重において、各中間のピクセルの組み合わせた特徴情報を統合するステップと、
　それによって第２のピクセルを有する結果として得られる前記二次元画像を生成するステップと、からなることを特徴とする方法。
　
［相違点１］
　伝送する画像が、本願発明では、「ある対象物の核磁気共鳴画像とディジタルスキャナによって生成された画像と病理学的画像と組織学的画像と放射線医学的画像とからなるグループから選択される二次元または三次元画像」であって、「第１のピクセルサイズまたはヴォクセルサイズ」を有するものであるのに対し、刊行物１発明では、（本願発明の文言を用いると）「ある対象物の放射線医学的画像からなる二次元画像」であって、「第１のピクセルサイズ」を有するものである点。
　
［相違点２］
　計算するステップにおいて、特徴情報に関する値による計算が、本願発明では、平均和の計算であるのに対し、刊行物１発明では、ぼけ除去フィルタによるフィルタ作用をかける計算である点。
　
［相違点３］
　本願発明は、「フーリエ領域において、前記多重のオーバーレイからのアーチファクトを表すことができるフィルタリング関数によって前記中間画像を除算し、それによって第２のピクセルまたはヴォクセルサイズを有する結果として得られる前記二次元または三次元画像を生成するステップ」を有するのに対し、刊行物１発明はそのようなステップを有しない点。
　
５．当審の判断
　これらの相違点について検討する。
　
（１）相違点１について
　医療分野における画像の作像、画像伝送などの処理において、核磁気共鳴画像、ディジタルスキャナによって生成された画像、病理学的画像、組織学的画像、放射線医学的画像をその処理対象とすることは通常、普通に行われていることであり、刊行物１発明における「放射線医学的画像」に加えて、これらの画像からなるグループから選択される画像をも処理対象とすることは、当業者が必要に応じて適宜なし得ることにすぎない。
　また、本願発明の「二次元または三次元画像」との表現は、「二次元画像」と「三次元画像」との何れをも含むと解釈され、刊行物１発明は、二次元画像に関するものであるから、この点は実質的には相違点とはいえない。さらに、「二次元画像」の「ピクセルサイズ」に対応するものが、「三次元画像」では、「ヴォクセルサイズ」であるのは明らかである。
　
（２）相違点２について
　刊行物１発明では、ぼけ除去フィルタによる演算は一般的なフィルタ演算として記載されている。その具体的な演算内容は、画像の解像度を増加させる前後の画像データの画素の位置関係等によってフィルタ係数や演算式などを定めることにより決定されるものである。本願発明における平均和の計算は、その一態様と考えられるが、オーバレイされた低解像度の複数の画像の平均和を計算することにより解像度の高い画像データを得る態様自体は、上記の刊行物２に記載されているように知られたものであるから、刊行物１発明において、解像度を増加させるための特徴情報に関する値による演算として、刊行物２に記載された平均和の計算を採用することは、当業者が容易に想到し得ることである。
　
（３）相違点３について
　フーリエ領域におけるフィルタ処理により放射線画像等のアーティファクトを除去することは当該技術分野において周知の技術であるから、刊行物１発明において、「フーリエ領域において、前記多重のオーバーレイからのアーチファクトを表すことができるフィルタリング関数によって前記中間画像を除算し、それによって第２のピクセルまたはヴォクセルサイズを有する結果として得られる前記二次元または三次元画像を生成するステップ」を備えることは当業者が必要に応じて適宜なし得ることにすぎない。
　
（４）請求人の意見書による主張について
　平成２３年５月３１日付けの意見書により、請求人は、上記拒絶理由の通知で引用した刊行物の何れも、画像を伝送すること、特に少なくとも二つの画像を一度に一つずつ伝送することを何ら開示も示唆もしないこと、及び、本願請求項１に係る発明は、任意の単一の画像の不完全な伝送に対して回復力がある方法で品質の低い接続を用いて複数の画像を伝送することができる、二次元または三次元画像を伝送するための方法を提供するという格別な効果を奏するものであることを主張している。
　しかしながら、前者については、上記「４．対比」で述べたように、刊行物１発明は本願請求項１に係る発明の「前記複数の画像のうちの少なくとも二つの画像を一度に一つずつ伝送するステップ」に相当するステップを有しているということができる。
　また、後者については、刊行物１発明は、画像の分解・伝送に関しては上記［一致点］で示したように本願発明と一致するものであるから、効果についても同様の効果を奏することは明らかである。
　
　したがって、本願発明は、刊行物１発明、刊行物２に記載の技術、及び周知技術に基づいて当業者が容易に発明をすることができたものである。
　
６．むすび
　以上のとおり、本願の請求項１に係る発明は、特許出願前にその発明の属する分野における通常の知識を有する者が、特許出願前に日本国内又は外国において、頒布された刊行物に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。